(57)【要約】  【課題】  映像データ用ＢＤ−ＲＯＭに関連したアプリケーションコンテンツをネットワークからダウンロードし再生する場合、ユーザ所望の言語表示によるコンテンツがダウンロードされることが望ましい。  【解決手段】  本発明においては、アプリケーションコンテンツをネットワーク上のアプリケーションサーバに対して取得要求する際、再生装置に設定された言語設定を調べ、アプリケーションサーバに通知する。本発明によれば、ＢＤ−ＲＯＭのタイトルに関連したアプリケーションコンテンツをダウンロードし表示する際、ユーザが意識することなく、ユーザがプレーヤに設定した所望の言語によるコンテンツがダウンロードされ表示される。【選択図】  図３５
2006244655.tif 000002
【特許請求の範囲】
【請求項１】
情報記録媒体に格納された映像ストリームデータおよびアプリケーションデータを読み込み再生する再生装置であって、
アプリケーションの提示言語を決定するアプリケーション言語決定手段と、
外部の通信装置と通信を行う通信手段と、
前記アプリケーション言語決定手段により決定された言語に関する言語コードを前記通信手段により接続された通信装置に通知する言語コード通知手段と、
前記通信装置よりアプリケーションデータを取得するアプリケーションデータ取得手段と、
前記情報記録媒体に格納されたアプリケーションデータおよび前記通信装置より取得したアプリケーションデータを再生するアプリケーションデータ再生手段と
を備えることを特徴とする再生装置。
【請求項２】
字幕用言語設定手段を備え、
前記アプリケーション言語決定手段は前記字幕用言語設定手段に設定された字幕言語をアプリケーション提示言語とすること
を特徴とする請求項１に記載の再生装置。
【請求項３】
音声用言語設定手段を備え、
前記アプリケーション言語決定手段は前記音声用言語設定手段に設定された音声言語をアプリケーション提示言語とすること
を特徴とする請求項１に記載の再生装置。
【請求項４】
アプリケーション提示言語設定手段を備え、
前記アプリケーション言語決定手段は前記アプリケーション提示言語設定手段により設定された言語をアプリケーション提示言語とすること
を特徴とする請求項１に記載の再生装置。
【請求項５】
さらに、前記情報記録媒体に格納された再生すべきアプリケーションデータが前記アプリケーション言語決定手段によって決定された言語に対応しているかどうかを確認するアプリケーションデータ言語確認手段を備え、
対応していないと確認されれば前記アプリケーション言語決定手段によって決定された言語の言語コードを前記言語コード通知手段により通知し、
外部通信装置より前記アプリケーションデータ取得手段によりアプリケーションデータ取得を行うこと
を特徴とする請求項１から４のいずれか１項に記載の再生装置。
【請求項６】
情報記録媒体に格納された映像ストリームデータおよびアプリケーションデータを読み込み再生する再生方法であって、
アプリケーションの提示言語を決定し、
決定されたアプリケーションの提示言語に関する言語コードを外部通信装置に通知し、
前記外部通信装置よりアプリケーションデータを取得し、
前記外部通信装置より取得したアプリケーションデータを再生することを特徴とする再生方法。
【請求項７】
情報記録媒体に格納された映像ストリームデータおよびアプリケーションデータを読み込み再生する再生方法であって、
アプリケーションの提示言語を決定し、
前記情報記録媒体に格納された再生すべきアプリケーションデータが前記決定されたアプリケーションの提示言語に対応しているかどうかを確認し、
対応していないと確認されれば前記決定されたアプリケーションの提示言語の言語コードを外部通信装置に通知し、
前記外部通信装置よりアプリケーションデータを取得し、
前記外部通信装置より取得したアプリケーションデータを再生することを特徴とする再生方法。
【請求項８】
情報記録媒体に格納された映像ストリームデータおよびアプリケーションデータを読み込み再生する再生方法であって、
アプリケーションの提示言語を決定し、
決定されたアプリケーションの提示言語に関する言語コードを外部通信装置に通知し、
前記外部通信装置よりアプリケーションデータを取得し、
前記外部通信装置より取得したアプリケーションデータを再生する制御をコンピュータに行わせることを特徴とするプログラム。
【発明の詳細な説明】
【技術分野】
【０００１】
本発明は、ＢＤ−ＲＯＭ等、映像データを記録した情報記録媒体の再生装置及び再生方法に関し、特に、ネットワークに接続された再生装置における多言語アプリケーション再生方法に関する。
【背景技術】
【０００２】
映像データを記録した情報記録媒体の代表格は、ＤＶＤ（以下、ＳＤ−ＤＶＤまたは単にＤＶＤと称する）である。以降、従来のＤＶＤについて説明する。
【０００３】
図１は、ＳＤ−ＤＶＤの構造を示した図である。図１の下段に示すように、ＤＶＤディスク上にはリードインからリードアウトまでの間に論理アドレス空間が設けられ、論理アドレス空間の先頭からファイルシステムのボリューム情報が記録され、続いて映像音声などのアプリケーションデータが記録されている。
【０００４】
ファイルシステムとは、ＩＳＯ９６６０やＵＤＦ（Ｕｎｉｖｅｒｓａｌ  Ｄｉｓｃ  Ｆｏｒｍａｔ）のことであり、ディスク上のデータをディレクトリまたはファイルと呼ばれる単位で表現する仕組みである。日常使っているＰＣ（パーソナルコンピュータ）の場合でも、ＦＡＴまたはＮＴＦＳと呼ばれるファイルシステムを通すことにより、ディレクトリやファイルという構造でハードディスクに記録されたデータがコンピュータ上で表現され、ユーザビリティを高めている。  ＳＤ−ＤＶＤの場合、ＵＤＦ及びＩＳＯ９６６０両方を使用しており（両方を合わせて「ＵＤＦブリッジ」と呼ぶ事がある）、ＵＤＦまたはＩＳＯ９６６０どちらのファイルシステムドライバによってもデータの読み出し（ここで取り扱うＤＶＤはパッケージメディア用のＲＯＭディスクであり、物理的に書き込みが不可能である）ができるようになっている。
【０００５】
ＤＶＤ上に記録されたデータは、ＵＤＦブリッジを通して、図１左上に示すようなディレクトリまたはファイルとして見ることができる。ルートディレクトリ（図中「ＲＯＯＴ」）の直下に「ＶＩＤＥＯ＿ＴＳ」と呼ばれるディレクトリが置かれ、ここにＤＶＤのアプリケーションデータが記録されている。アプリケーションデータは、複数のファイルとして記録され、主なファイルとして以下のものがある。
【０００６】
ＶＩＤＥＯ＿ＴＳ．ＩＦＯ    ディスク再生制御情報ファイル
ＶＴＳ＿０１＿０．ＩＦＯ    ビデオタイトルセット＃１再生制御情報ファイル
ＶＴＳ＿０１＿０．ＶＯＢ    ビデオタイトルセット＃１ストリームファイル
．．．．．
拡張子として２つの種類が存在する。「ＩＦＯ」は再生制御情報が記録されたファイルであって、「ＶＯＢ」はＡＶデータであるＭＰＥＧストリームが記録されたファイルである。再生制御情報とは、ＤＶＤで採用されたインタラクティビティ（ユーザの操作に応じて再生を動的に変化させる技術）を実現するための情報や、メタデータのようなタイトルやＡＶストリームに付属する情報などのことである。また、ＤＶＤでは一般的に再生制御情報のことをナビゲーション情報と呼ぶことがある。
【０００７】
再生制御情報ファイルは、ディスク全体を管理する「ＶＩＤＥＯ＿ＴＳ．ＩＦＯ」と、個々のビデオタイトルセット（ＤＶＤでは複数のタイトル、言い換えれば異なる映画や異なるバージョンの映画を１枚のディスクに記録することが可能である。）毎の再生制御情報である「ＶＴＳ＿０１＿０．ＩＦＯ」がある。ここで、ファイル名ボディにある「０１」はビデオタイトルセットの番号を示しており、例えば、ビデオタイトルセット＃２の場合は、「ＶＴＳ＿０２＿０．ＩＦＯ」となる。
【０００８】
図１の右上部は、ＤＶＤのアプリケーション層でのＤＶＤナビゲーション空間であり、前述した再生制御情報が展開された論理構造空間である。「ＶＩＤＥＯ＿ＴＳ．ＩＦＯ」内の情報は、ＶＭＧＩ（ＶＩＤＥＯ  Ｍａｎａｇｅｒ  Ｉｎｆｏｒｍａｔｉｏｎ）として、「ＶＴＳ＿０１＿０．ＩＦＯ」または、他のビデオタイトルセット毎に存在する再生制御情報はＶＴＳＩ（Ｖｉｄｅｏ  Ｔｉｔｌｅ  Ｓｅｔ  Ｉｎｆｏｒｍａｔｉｏｎ）としてＤＶＤナビゲーション空間に展開される。
【０００９】
ＶＴＳＩの中にはＰＧＣ（Ｐｒｏｇｒａｍ  Ｃｈａｉｎ）と呼ばれる再生シーケンスの情報であるＰＧＣＩ（Ｐｒｏｇｒａｍ  Ｃｈａｉｎ  Ｉｎｆｏｒｍａｔｉｏｎ）が記述されている。ＰＧＣＩは、Ｃｅｌｌの集合とコマンドと呼ばれる一種のプログラミング情報によって構成されている。Ｃｅｌｌ自身はＶＯＢ（Ｖｉｄｅｏ  Ｏｂｊｅｃｔの略であり、ＭＰＥＧストリームを指す）の一部区間または全部区間の集合であり、Ｃｅｌｌの再生は、当該ＶＯＢのＣｅｌｌによって指定された区間を再生することを意味している。
【００１０】
コマンドは、ＤＶＤの仮想マシンによって処理されるものであり、ブラウザ上で実行されるＪａｖａ（登録商標）スクリプトなどに近いものである。しかしながらＪａｖａ（登録商標）スクリプトが論理演算の他にウィンドウやブラウザの制御（例えば、新しいブラウザのウィンドを開くなど）を行うのに対して、ＤＶＤのコマンドは、論理演算の他にＡＶタイトルの再生制御、例えば、再生するチャプタの指定などを実行するだけのものである点で異なっている。
【００１１】
Ｃｅｌｌはディスク上に記録されているＶＯＢの開始及び終了アドレス（論理アドレス）をその内部情報として有しており、プレーヤは、Ｃｅｌｌに記述されたＶＯＢの開始及び終了アドレス情報を使ってデータの読み出し、再生を実行する。
【００１２】
図１はＡＶストリーム中に埋め込まれているナビゲーション情報を説明する概略図である。ＳＤ−ＤＶＤの特長であるインタラクティビティは前述した「ＶＩＤＥＯ＿ＴＳ．ＩＦＯ」や「ＶＴＳ＿０１＿０．ＩＦＯ」などに記録されているナビゲーション情報だけによって実現されているのではなく、幾つかの重要な情報はナビゲーション・パック（ナビパックまたは、ＮＶ＿ＰＣＫと称する）と呼ばれる専用キャリアを使いＶＯＢ内に映像、音声データと一緒に多重化されている。
【００１３】
ここでは簡単なインタラクティビティの例としてメニューを説明する。メニュー画面上には、幾つかのボタンが現れ、夫々のボタンには当該ボタンが選択実行された時の処理が定義されている。また、メニュー上では一つのボタンが選択されており（ハイライトによって選択ボタン上に半透明色がオーバーレイされている）、ユーザは、リモコンの上下左右キーを使って、選択状態のボタンを上下左右の何れかのボタンに移動させることが出来る。リモコンの上下左右キーを使って、選択実行したいボタンまでハイライトを移動させ、決定する（決定キーを押す）ことによって対応するコマンドのプログラムが実行される。一般的には対応するタイトルやチャプタの再生がコマンドによって実行されている。
【００１４】
図２の左上部はＮＶ＿ＰＣＫ内の概要を示している。
ＮＶ＿ＰＣＫ内には、ハイライトカラー情報と個々のボタン情報などが含まれている。ハイライトカラー情報には、カラーパレット情報が記述され、オーバーレイ表示されるハイライトの半透明色が指定される。ボタン情報には、個々のボタンの位置情報である矩形領域情報と、当該ボタンから他のボタンへの移動情報（ユーザの上下左右キー操作夫々に対応する移動先ボタンの指定）と、ボタンコマンド情報（当該ボタンが決定された時に実行されるコマンド）が記述されている。
【００１５】
メニュー上のハイライトは、図２の中央右上部に示すように、オーバーレイ画像として作られる。オーバーレイ画像は、ボタン情報の矩形領域情報にカラーパレット情報の色をつけた物である。このオーバーレイ画像は右部に示す背景画像と合成されて画面上に表示される。
【００１６】
上述のようにして、ＤＶＤではメニューを実現している。また、何故、ナビゲーションデータの一部をＮＶ＿ＰＣＫを使ってストリーム中に埋め込んでいるのは、ストリームと同期して動的にメニュー情報を更新、例えば、映画再生中の途中５分〜１０分の間にだけメニューが表示されるなど、同期タイミングが問題となりやすいアプリケーションの場合でも、問題なく実現できるようにしたためである。
【００１７】
図３は、ＤＶＤのＶＯＢのイメージである。図に示すように、映像、音声、字幕などのデータ（Ａ段）は、ＭＰＥＧシステム（ＩＳＯ／ＩＥＣ１３８１８−１）規格に基づいて、パケット及びパック化し（Ｂ段）、夫々を多重化して１本のＭＰＥＧプログラムストリームにしている（Ｃ段）。また、前述した通りインタラクティブを実現するためのボタンコマンドを含んだＮＶ＿ＰＣＫも一緒に多重化をされている。
【００１８】
ＭＰＥＧシステムの多重化の特徴は、多重化する個々のデータは、そのデコード順に基づくビット列になっているが、多重化されるデータ間、即ち、映像、音声、字幕の間は必ずしも再生順、言い換えればデコード順に基づいてビット列が形成されているわけではない。これはＭＰＥＧシステムストリームのデコーダモデル（一般にＳｙｓｔｅｍ  Ｔａｒｇｅｔ  Ｄｅｃｏｄｅｒ、またはＳＴＤと呼ばれる（図３のＤ段））が多重化を解いた後に個々のエレメンタリーストリームに対応するデコーダバッファを持ち、デコードタイミングまでに一時的にデータを蓄積している事に由来している。このデコーダバッファは、個々のエレメンタリーストリーム毎にサイズが異なり、映像に対しては、２３２ｋＢ、音声に対しては４ｋＢ、字幕に対しては５２ｋＢを夫々有している。このため、各デコーダバッファへのデータ入力タイミングは個々のエレメンタリストリームで異なるため、ＭＰＥＧシステムストリームとしてビット列を形成する順番と表示（デコード）されるタイミングにずれが生じている。
【００１９】
即ち、映像データと並んで多重化されている字幕データが必ずしも同一タイミングでデコードされているわけでは無い。
【００２０】
かかるＤＶＤの構成は、以下の特許文献１に記載されている。
【特許文献１】特許第２８１３２４５号
【発明の開示】
【発明が解決しようとする課題】
【００２１】
ところでＢＤ−ＲＯＭには、１つの映像データに対し、多言語の音声データと多言語の字幕データを記録可能であり、同様にＢＤ−ＲＯＭに記録されるアプリケーションコンテンツにおいても多言語への対応が可能となる。
【００２２】
次世代の情報記録媒体であるＢＤ−ＲＯＭは、上述したような簡易なナビゲーションコマンドだけでなく、例えばＸＭＬとスクリプトによるプログラムによるインタラクティブなコンテンツの記録が予定されており、さらにはネットワークからのコンテンツダウンロード機能も有する。ダウンロード機能を有することにより、サーバから最新の情報をダウンロードし表示したり、あるいはディスク上に格納されていない言語によるコンテンツの表示が可能となるが、これらはユーザが意識することなく所望の言語によるコンテンツがダウンロードされ表示されることが望ましい。
【課題を解決するための手段】
【００２３】
上記課題を解決するため、本発明にかかる再生装置は、アプリケーションコンテンツをネットワーク上のアプリケーションサーバに対して取得要求する際、再生装置に設定された言語設定を調べ、アプリケーションサーバに通知する。
【００２４】
このような構成により、ＢＤ−ＲＯＭのタイトルに関連したアプリケーションコンテンツをダウンロードし表示する際、ユーザが意識することなく、ユーザがプレーヤに設定した所望の言語によるコンテンツがダウンロードされ表示される。
【００２５】
本発明は、情報記録媒体に格納された映像ストリームデータおよびアプリケーションデータを読み込み再生する再生装置であって、アプリケーションの提示言語を決定するアプリケーション言語決定手段と、外部の通信装置と通信を行う通信手段と、前記アプリケーション言語決定手段により決定された言語に関する言語コードを前記通信手段により接続された通信装置に通知する言語コード通知手段と、前記通信装置よりアプリケーションデータを取得するアプリケーションデータ取得手段と、前記情報記録媒体に格納されたアプリケーションデータおよび前記通信装置より取得したアプリケーションデータを再生するアプリケーションデータ再生手段とを備えることを特徴とする再生装置を提供する。
【００２６】
本発明の一実施態様において、上述の再生装置は、字幕用言語設定手段を備え、前記アプリケーション言語決定手段は前記字幕用言語設定手段に設定された字幕言語をアプリケーション提示言語とする。
【００２７】
本発明の一実施態様において、上述の再生装置は、音声用言語設定手段を備え、前記アプリケーション言語決定手段は前記音声用言語設定手段に設定された音声言語をアプリケーション提示言語とする。
【００２８】
本発明の一実施態様において、上述の再生装置は、アプリケーション提示言語設定手段を備え、前記アプリケーション言語決定手段は前記アプリケーション提示言語設定手段により設定された言語をアプリケーション提示言語とする。
【００２９】
本発明の一実施態様において、上述の再生装置はさらに、前記情報記録媒体に格納された再生すべきアプリケーションデータが前記アプリケーション言語決定手段によって決定された言語に対応しているかどうかを確認するアプリケーションデータ言語確認手段を備え、対応していないと確認されれば前記アプリケーション言語決定手段によって決定された言語の言語コードを前記言語コード通知手段により通知し、外部通信装置より前記アプリケーションデータ取得手段によりアプリケーションデータ取得を行う。
【００３０】
本発明はまた、情報記録媒体に格納された映像ストリームデータおよびアプリケーションデータを読み込み再生する再生方法であって、アプリケーションの提示言語を決定し、決定されたアプリケーションの提示言語に関する言語コードを外部通信装置に通知し、前記外部通信装置よりアプリケーションデータを取得し、前記外部通信装置より取得したアプリケーションデータを再生することを特徴とする再生方法を提供する。
【００３１】
本発明はまた、情報記録媒体に格納された映像ストリームデータおよびアプリケーションデータを読み込み再生する再生方法であって、アプリケーションの提示言語を決定し、前記情報記録媒体に格納された再生すべきアプリケーションデータが前記決定されたアプリケーションの提示言語に対応しているかどうかを確認し、対応していないと確認されれば前記決定されたアプリケーションの提示言語の言語コードを外部通信装置に通知し、前記外部通信装置よりアプリケーションデータを取得し、前記外部通信装置より取得したアプリケーションデータを再生することを特徴とする再生方法を提供する。
【００３２】
本発明はまた、情報記録媒体に格納された映像ストリームデータおよびアプリケーションデータを読み込み再生する再生方法であって、アプリケーションの提示言語を決定し、決定されたアプリケーションの提示言語に関する言語コードを外部通信装置に通知し、前記外部通信装置よりアプリケーションデータを取得し、前記外部通信装置より取得したアプリケーションデータを再生する制御をコンピュータに行わせることを特徴とするプログラムを提供する。
【発明の効果】
【００３３】
上述した構成により、ＢＤ−ＲＯＭのタイトルに関連したアプリケーションコンテンツをダウンロードし表示する際、ユーザが意識することなく、ユーザがプレーヤに設定した所望の言語によるコンテンツがダウンロードされ表示される。
【発明を実施するための最良の形態】
【００３４】
（実施例１）
まず最初に本発明の第１の実施の形態について説明する。
【００３５】
（ディスク上の論理データ構造）
図４は、ＢＤ−ＲＯＭ（以降、「ＢＤ」と称する場合もある）の構成、特にディスク媒体であるＢＤディスク（１０４）と、ディスクに記録されているデータ（１０１、１０２、１０３）の構成を示す図である。ＢＤディスク（１０４）に記録されるデータは、ＡＶデータ（１０３）と、ＡＶデータに関する管理情報及びＡＶ再生シーケンスなどのＢＤ管理情報（１０２）と、インタラクティブを実現するＢＤ再生プログラム（１０１）である。本実施の形態では、映画などのＡＶコンテンツを再生するためのＡＶアプリケーションを主眼においてのＢＤディスクの説明を行うが、ＢＤディスクをＣＤ−ＲＯＭやＤＶＤ−ＲＯＭの様にコンピュータ用途の記録媒体として使用することも当然のことながら可能である。
【００３６】
図５は、上述したＢＤディスクに記録されている論理データを示した図である。ＢＤディスクは、他の光ディスク、例えばＤＶＤやＣＤなどと同様にその内周から外周に向けてらせん状に記録領域を持ち、内周のリード・インと外周のリード・アウトの間に論理データを記録できる論理アドレス空間を有している。また、リード・インの内側にはＢＣＡ（Ｂｕｒｓｔ  Ｃｕｔｔｉｎｇ  Ａｒｅａ）と呼ばれるドライブでしか読み出せない特別な領域がある。この領域はアプリケーションから読み出せないため、例えば著作権保護技術などに利用されることがよくある。
【００３７】
論理アドレス空間には、ファイルシステム情報（ボリューム）を先頭に映像データなどのアプリケーションデータが記録されている。ファイルシステムとは従来技術で説明した通り、ＵＤＦやＩＳＯ９６６０などのことであり、通常のＰＣと同じように記録されている論理データをディレクトリ、ファイル構造を使って読み出しする事が可能になっている。
【００３８】
本実施例の場合、ＢＤディスク上のディレクトリ、ファイル構造は、ルートディレクトリ（ＲＯＯＴ）直下にＢＤＶＩＤＥＯディレクトリが置かれている。このディレクトリはＢＤ−ＲＯＭで扱うＡＶコンテンツや管理情報などのデータ（図４で説明した１０１、１０２、１０３）が記録されているディレクトリである。
【００３９】
ＢＤＶＩＤＥＯディレクトリの下には、次の７種類のファイルが記録されている。
【００４０】
ＢＤ．ＩＮＦＯ（ファイル名固定）
「ＢＤ管理情報」の一つであり、ＢＤディスク全体に関する情報を記録したファイルである。ＢＤプレーヤは最初にこのファイルを読み出す。
【００４１】
ＢＤ．ＰＲＯＧ（ファイル名固定）
「ＢＤ再生プログラム」の一つであり、ＢＤディスク全体に関わるプログラムを記録したファイルである。
【００４２】
ＸＸＸ．ＰＬ（「ＸＸＸ」は可変、拡張子「ＰＬ」は固定）
「ＢＤ管理情報」の一つであり、シナリオを記録するプレイリスト（Ｐｌａｙ  Ｌｉｓｔ）情報を記録したファイルである。プレイリスト毎に１つのファイルを持っている。
【００４３】
ＸＸＸ．ＰＲＯＧ（「ＸＸＸ」は可変、拡張子「ＰＲＯＧ」は固定）
「ＢＤ再生プログラム」の一つであり、前述したプレイリスト毎のプログラムを記録したファイルである。プレイリストとの対応はファイルボディ名（「ＸＸＸ」が一致する）によって識別される。
【００４４】
ＹＹＹ．ＶＯＢ（「ＹＹＹ」は可変、拡張子「ＶＯＢ」は固定）
「ＡＶデータ」の一つであり、ＶＯＢ（従来例で説明したＶＯＢと同じ）を記録したファイルである。ＶＯＢ毎に１つのファイルを持っている。
【００４５】
ＹＹＹ．ＶＯＢＩ（「ＹＹＹ」は可変、拡張子「ＶＯＢＩ」は固定）
「ＢＤ管理情報」の一つであり、ＡＶデータであるＶＯＢに関わる管理情報を記録したファイルである。ＶＯＢとの対応はファイルボディ名（「ＹＹＹ」が一致する）によって識別される。
【００４６】
ＺＺＺ．ＰＮＧ（「ＺＺＺ」は可変、拡張子「ＰＮＧ」は固定）
「ＡＶデータ」の一つであり、字幕及びメニューを構成するためのイメージデータＰＮＧ（Ｗ３Ｃによって標準化された画像フォーマットであり「ピング」と読む）を記録したファイルである。１つのＰＮＧイメージ毎に１つのファイルを持つ。
【００４７】
（プレーヤの構成）
次に、前述したＢＤディスクを再生するプレーヤの構成について図６及び図７を用いて説明する。
【００４８】
図６は、プレーヤの大まかな機能構成を示すブロック図である。
ＢＤディスク（２０１）上のデータは、光ピックアップ（２０２）を通して読み出される。読み出されたデータは夫々のデータの種類に応じて専用のメモリに記録される。ＢＤ再生プログラム（「ＢＤ．ＰＲＯＧ」または「ＸＸＸ．ＰＲＯＧ」ファイルの中身）はプログラム記録メモリ（２０３）に、ＢＤ管理情報（「ＢＤ．ＩＮＦＯ」、「ＸＸＸ．ＰＬ」または「ＹＹＹ．ＶＯＢＩ」）は管理情報記録メモリ（２０４）に、ＡＶデータ（「ＹＹＹ．ＶＯＢ」または「ＺＺＺ．ＰＮＧ」）はＡＶ記録メモリ（２０５）に夫々記録される。
【００４９】
プログラム記録メモリ（２０３）に記録されたＢＤ再生プログラムはプログラム処理部（２０６）によって、管理情報記録メモリ（２０４）に記録されたＢＤ管理情報は管理情報処理部（２０７）によって、また、ＡＶ記録メモリ（２０５）に記録されたＡＶデータはプレゼンテーション処理部（２０８）によって夫々処理される。
【００５０】
プログラム処理部（２０６）は、管理情報処理部（２０７）より再生するプレイリストの情報やプログラムの実行タイミングなどのイベント情報を受け取りプログラムの処理を行う。また、プログラムでは再生するプレイリストを動的に変える事が可能であり、この場合は管理情報処理部（２０７）に対してプレイリストの再生命令を送ることで実現する。プログラム処理部（２０６）は、ユーザからのイベント、即ちリモコンキーからのリクエストを受け、ユーザイベントに対応するプログラムがある場合は、実行処理する。
【００５１】
管理情報処理部（２０７）は、プログラム処理部（２０６）の指示を受け、対応するプレイリスト及びプレイリストに対応したＶＯＢの管理情報を解析し、プレゼンテーション処理部（２０８）に対象となるＡＶデータの再生を指示する。また、管理情報処理部（２０７）は、プレゼンテーション処理部（２０８）より基準時刻情報を受け取り、時刻情報に基づいてプレゼンテーション処理部（２０８）にＡＶデータ再生の停止指示を行い、また、プログラム処理部（２０６）に対してプログラム実行タイミングを示すイベントを生成する。
【００５２】
プレゼンテーション処理部（２０８）は、映像、音声、字幕／イメージ夫々に対応するデコーダを持ち、管理情報処理部（２０７）からの指示に従い、ＡＶデータのデコード及び出力を行う。映像データ及び字幕／イメージの場合は、デコード後に夫々の専用プレーン、ビデオプレーン（２１０）及びイメージプレーン（２０９）に描画され、合成処理部（２１１）によって映像の合成処理が行われＴＶなどの表示デバイスへ出力される。
【００５３】
図６で示すように、ＢＤプレーヤは図４で示したＢＤディスクに記録されているデータ構成に基づいた構成をとっている。
【００５４】
図７は前述したプレーヤ構成を詳細化したブロック図である。図７では、ＡＶ記録メモリ（２０５）はイメージメモリ（３０８）とトラックバッファ（３０９）に、プログラム処理部（２０６）はプログラムプロセッサ（３０２）とＵＯＰマネージャ（３０３）に、管理情報処理部（２０７）はシナリオプロセッサ（３０５）とプレゼンテーションコントローラ（３０６）に、プレゼンテーション処理部（２０８）はクロック（３０７）、デマルチプレクサ（３１０）、イメージプロセッサ（３１１）、ビデオプロセッサ（３１２）とサウンドプロセッサ（３１３）に夫々対応／展開している。
【００５５】
ＢＤディスク（２０１）から読み出されたＶＯＢデータ（ＭＰＥＧストリーム）はトラックバッファ（３０９）に、イメージデータ（ＰＮＧ）はイメージメモリ（３０８）に夫々記録される。デマルチプレクサ（３１０）がクロック（３０７）の時刻に基づき、トラックバッファ（３０９）に記録されたＶＯＢデータを抜き出し、映像データをビデオプロセッサ（３１２）に音声データをサウンドプロセッサ（３１３）に夫々送り込む。ビデオプロセッサ（３１２）及びサウンドプロセッサ（３１３）は夫々ＭＰＥＧシステム規格で定める通りに、デコーダバッファとデコーダから夫々構成されている。即ち、デマルチプレクサ（３１０）から送りこまれる映像、音声夫々のデータは、夫々のデコーダバッファに一時的に記録され、クロック（３０７）に従い個々のデコーダでデコード処理される。
【００５６】
イメージメモリ（３０８）に記録されたＰＮＧは、次の２つの処理方法がある。イメージデータが字幕用の場合は、プレゼンテーションコントローラ（３０６）によってデコードタイミングが指示される。クロック（３０７）からの時刻情報をシナリオプロセッサ（３０５）が一旦受け、適切な字幕表示が行えるように、字幕表示時刻（開始及び終了）になればプレゼンテーションコントローラ（３０６）に対して字幕の表示、非表示の指示を出す。プレゼンテーションコントローラ（３０６）からデコード／表示の指示を受けたイメージプロセッサ（３１１）は対応するＰＮＧデータをイメージメモリ（３０８）から抜き出し、デコードし、イメージプレーン（３１４）に描画する。
【００５７】
次に、イメージデータがメニュー用の場合は、プログラムプロセッサ（３０２）によってデコードタイミングが指示される。プログラムプロセッサ（３０２）が何時イメージのデコードを指示するかは、プログラムプロセッサ（３０２）が処理しているＢＤプログラムに因るものであって一概には決まらない。
【００５８】
イメージデータ及び映像データは、図６で説明したように夫々デコード後にイメージプレーン（３１４）、ビデオプレーン（３１５）に記録され、合成処理部（３１６）によって合成出力される。
【００５９】
ＢＤディスク（２０１）から読み出された管理情報（シナリオ、ＡＶ管理情報）は、管理情報記録メモリ（３０４）に記録されるが、シナリオ情報（「ＢＤ．ＩＮＦＯ」及び「ＸＸＸ．ＰＬ」）はシナリオプロセッサ（３０５）によって読み出され処理される。また、ＡＶ管理情報（「ＹＹＹ．ＶＯＢＩ」）はプレゼンテーションコントローラ（３０６）によって読み出され処理される。
【００６０】
シナリオプロセッサ（３０５）は、プレイリストの情報を解析し、プレイリストによって参照されているＶＯＢとその再生位置をプレゼンテーションコントローラ（３０６）に指示し、プレゼンテーションコントローラ（３０６）は対象となるＶＯＢの管理情報（「ＹＹＹ．ＶＯＢＩ」）を解析して、対象となるＶＯＢを読み出すようにドライブコントローラ（３１７）に指示を出す。
【００６１】
ドライブコントローラ（３１７）はプレゼンテーションコントローラ（３０６）の指示に従い、光ピックアップを移動させ、対象となるＡＶデータの読み出しを行う。読み出されたＡＶデータは、前述したようにイメージメモリ（３０８）またはトラックバッファ（３０９）に記録される。
【００６２】
また、シナリオプロセッサ（３０５）は、クロック（３０７）の時刻を監視し、管理情報で設定されているタイミングでイベントをプログラムプロセッサ（３０２）に投げる。
【００６３】
プログラム記録メモリ（３０１）に記録されたＢＤプログラム（「ＢＤ．ＰＲＯＧ」または「ＸＸＸ．ＰＲＯＧ」）は、プログラムプロセッサ３０２によって実行処理される。プログラムプロセッサ（３０２）がＢＤプログラムを処理するのは、シナリオプロセッサ（３０５）からイベントが送られてきた場合か、ＵＯＰマネージャ（３０３）からイベントが送られてきた場合である。ＵＯＰマネージャ（３０３）は、ユーザからリモコンキーによってリクエストが送られてきた場合に、プログラムプロセッサ（３０２）にイベントを生成する。
【００６４】
（アプリケーション空間）
図８は、ＢＤ−ＲＯＭのアプリケーション空間を示す図である。
【００６５】
ＢＤ−ＲＯＭのアプリケーション空間では、プレイリスト（ＰｌａｙＬｉｓｔ）が一つの再生単位になっている。プレイリストはセル（Ｃｅｌｌ）の再生シーケンスから構成される静的なシナリオと、プログラムによって記述される動的なシナリオを有している。プログラムによる動的なシナリオが無い限り、プレイリストは個々のセルを順に再生するだけであり、また、全てのセルの再生を終了した時点でプレイリストの再生は終了する。一方で、プログラムは、プレイリストを超えての再生記述や、ユーザ選択またはプレーヤの状態によって再生する対象を動的に変えることが可能である。典型的な例としてはメニューがあげられる。ＢＤ−ＲＯＭの場合、メニューとはユーザの選択によって再生するシナリオ、即ちプレイリストを動的に選択することである。
【００６６】
ここで言うプログラムは、時間イベントまたはユーザイベントによって実行されるイベントハンドラの事である。
【００６７】
時間イベントは、プレイリスト中に埋め込まれた時刻情報に基づいて生成されるイベントである。図７で説明したシナリオプロセッサ（３０５）からプログラムプロセッサ（３０２）に送られるイベントがこれに相当する。時間イベントが発行されると、プログラムプロセッサ（３０２）はＩＤによって対応付けられるイベントハンドラを実行処理する。前述した通り、実行されるプログラムが他のプレイリストの再生を指示することが可能であり、この場合には、現在再生されているプレイリストの再生は中止され、指定されたプレイリストの再生へと遷移する。
【００６８】
ユーザイベントは、ユーザのリモコンキー操作によって生成されるイベントである。ユーザイベントは大きく２つのタイプに分けられる。一つ目は、カーソルキー（「上」「下」「左」「右」キー）または「決定」キーの操作によって生成されるメニュー選択のイベントである。メニュー選択のイベントに対応するイベントハンドラはプレイリスト内の限られた期間でのみ有効であり（プレイリストの情報として、個々のイベントハンドラの有効期間が設定されている）、リモコンの「上」「下」「左」「右」キーまたは「決定」キーが押された時に有効なイベントハンドラを検索して、有効なイベントハンドラがある場合は当該イベントハンドラが実行処理される。他の場合は、メニュー選択のイベントは無視されることになる。
【００６９】
二つ目のユーザイベントは、「メニュー」キーの操作によって生成されるメニュー呼び出しのイベントである。メニュー呼び出しのイベントが生成されると、グローバルイベントハンドラが呼ばれる。グローバルイベントハンドラはプレイリストに依存せず、常に有効なイベントハンドラである。この機能を使うことにより、ＤＶＤのメニューコール（タイトル再生中に音声、字幕メニューなどを呼び出し、音声または字幕を変更後に中断した地点からのタイトル再生を実行する）を実装することができる。
【００７０】
プレイリストで静的シナリオを構成する単位であるセル（Ｃｅｌｌ）はＶＯＢ（ＭＰＥＧストリーム）の全部または一部の再生区間を参照したものである。セルはＶＯＢ内の再生区間を開始、終了時刻の情報として持っている。個々のＶＯＢと一対になっているＶＯＢ管理情報（ＶＯＢＩ）は、その内部にタイムマップ（Ｔｉｍｅ  ＭａｐまたはＴＭ）を有しており、このタイムマップによって前述したＶＯＢの再生、終了時刻をＶＯＢ内（即ち対象となるファイル「ＹＹＹ．ＶＯＢ」内）での読み出し開始アドレス及び終了アドレスを導き出すことが可能である。なおタイムマップの詳細は後述する。
【００７１】
（ＶＯＢの詳細）
図９は、本実施例で使用するＭＰＥＧストリーム（ＶＯＢ）の構成図である。図９に示すように、ＶＯＢは複数のＶＯＢＵ（Ｖｉｄｅｏ  Ｏｂｊｅｃｔ  Ｕｎｉｔ）によって構成されている。ＶＯＢＵは、ＭＰＥＧビデオストリームで言うＧＯＰ（Ｇｒｏｕｐ  Ｏｆ  Ｐｉｃｔｕｒｅｓ）を基準として、音声データも含んだ多重化ストリームとしての一再生単位である。ＶＯＢＵは０．４秒から１．０秒の時間を持ち、通常は０．５秒の再生時間を持っている。これはＭＰＥＧのＧＯＰの構造が通常は１５フレーム／秒（ＮＴＳＣの場合）によって導かれるものである。
【００７２】
ＶＯＢＵは、その内部にビデオパック（Ｖ＿ＰＣＫ）とオーディオパック（Ａ＿ＰＣＫ）を有している。各パックは１セクタ、本実施例の場合は２ｋＢ単位で構成されている。
【００７３】
図１０は、パックの構成を示した図である。
図１０に示すように、ビデオデータ及びオーディオデータといったエレメンタリデータは、ペイロードと呼ばれるパケットのデータ格納領域に先頭から順次入れられていく。ペイロードにはパケットヘッダが付けられ１つのパケットを構成する。パケットヘッダには、ペイロードに格納してあるデータがどのストリームなのか、ビデオなのかオーディオなのか、また、ビデオまたはオーディオが夫々複数ストリームある場合は、どのストリームのデータなのかを識別するためのＩＤ（ｓｔｒｅａｍ＿ｉｄ）と、当該ペイロードのデコード及び表示時刻情報であるタイムスタンプＤＴＳ及びＰＴＳが夫々記録されている。ＰＴＳ／ＤＴＳは必ずしも全てのパケットヘッダに記録されている訳ではなく、ＭＰＥＧによって記録するルールが規定されている。ルールの詳細についてはＭＰＥＧシステム（ＩＳＯ／ＩＥＣ１３８１８−１）規格書に記述されているので省略する。
【００７４】
パケットには更にヘッダ（パックヘッダ）が付けられ、パックを構成する。パックヘッダには、当該パックがいつデマルチプレクサを通過し、個々のエレメンタリストリームのデコーダバッファに入力されるかを示すタイムスタンプＳＣＲ（Ｓｙｓｔｅｍ  Ｃｌｏｃｋ  Ｒｅｆｅｒｅｎｃｅ）が記録されている。
【００７５】
（ＶＯＢのインターリーブ記録）
次に図１１及び図１２を用いてＶＯＢファイルのインターリーブ記録について説明する。
【００７６】
図１１上段は、前述したプレーヤ構成図の一部である。図の通り、ＢＤディスク上のデータは、光ピックアップを通してＶＯＢ即ちＭＰＥＧストリームであればトラックバッファへ入力され、ＰＮＧ即ちイメージデータであればイメージメモリへと入力される。
【００７７】
トラックバッファはＦＩＦＯであり、入力されたＶＯＢのデータは入力された順にデマルチプレクサへと送られる。この時、前述したＳＣＲに従って個々のパックはトラックバッファから引き抜かれデマルチプレクサを介してビデオプロセッサまたはサウンドプロセッサへとデータが送り届けられる。一方で、イメージデータの場合は、どのイメージを描画するかはプレゼンテーションコントローラによって指示される。また、描画に使ったイメージデータは、字幕用イメージデータの場合は同時にイメージメモリから削除されるが、メニュー用のイメージデータの場合は、イメージメモリ内にそのまま残される。これはメニューの描画はユーザ操作に依存するところがあるため、同一イメージを複数回描画する可能性があるためである。
【００７８】
図１１下段は、ＢＤディスク上でのＶＯＢファイル及びＰＮＧファイルのインターリーブ記録を示す図である。一般的にＲＯＭ、例えばＣＤ−ＲＯＭやＤＶＤ−ＲＯＭの場合、一連の連続再生単位となるＡＶデータは連続記録されている。これは、連続記録されている限り、ドライブは順次データを読み出しプレーヤ側に送り届けるだけで良いが、連続データが分断されてディスク上に離散配置されている場合は、個々の連続区間の間でシーク操作が入ることになり、この間データの読み出しが止まることになり、データの供給が止まる可能性があるからである。ＢＤ−ＲＯＭの場合も同様に、ＶＯＢファイルは連続領域に記録することができる方が望ましいが、例えば字幕データのようにＶＯＢに記録されている映像データと同期して再生されるデータがあり、ＶＯＢファイルと同様に字幕データも何らかの方法によってＢＤディスクから読み出す事が必要になる。
【００７９】
字幕データの読み出し方法の一手段として、ＶＯＢの再生開始前に一まとめで字幕用のイメージデータ（ＰＮＧファイル）を読み出してしまう方法がある。しかしながら、この場合には一時記録に使用する大量のメモリが必要となり、非現実的である。
【００８０】
そこで、本実施の形態では、ＶＯＢファイルを幾つかのブロックに分けて、イメージデータとインターリーブ記録する方式を使用している。図１１下段はそのインターリーブ記録を説明した図である。ＶＯＢファイルとイメージデータを適切にインターリーブ配置することで、前述したような大量の一時記録メモリ無しに、必要なタイミングでイメージデータをイメージメモリに格納することが可能になる。しかしながらイメージデータを読み出している際には、ＶＯＢデータの読み込みは当然のことながら停止することになる。
【００８１】
図１２は、この問題を解決するトラックバッファを使ったＶＯＢデータ連続供給モデルを説明する図である。
【００８２】
既に説明したように、ＶＯＢのデータは、一旦トラックバッファに蓄積される。トラックバッファへのデータ入力レートとトラックバッファからのデータ出力レートの間に差を設けると、ＢＤディスクからデータを読み出し続けている限り、トラックバッファのデータ蓄積量は増加をしていくことになる。ここでトラックバッファへの入力レートをＶａ、トラックバッファからの出力レートをＶｂとする。図１２の上段に記すようにＶＯＢの一連続記録領域が論理アドレスの”ａ１”から”ａ２”まで続くとする。”ａ２”から”ａ３”の間は、イメージデータが記録されていて、ＶＯＢデータの読み出しが行えない区間であるとする。
【００８３】
図１２の下段は、トラックバッファの内部を示す図である。横軸が時間、縦軸がトラックバッファ内部に蓄積されているデータ量を示している。時刻”ｔ１”がＶＯＢの一連続記録領域の開始点である”ａ１”の読み出しを開始した時刻を示している。この時刻以降、トラックバッファにはレートＶａ−Ｖｂでデータが蓄積されていくことになる。このレートは言うまでもなくトラックバッファの入出力レートの差である。時刻”ｔ２”は一連続記録領域の終了点である”ａ２”のデータを読み込む時刻である。即ち時刻”ｔ１”から”ｔ２”の間レートＶａ−Ｖｂでトラックバッファ内はデータ量が増加していき、時刻”ｔ２”でのデータ蓄積量はＢ（ｔ２）は下式によって求めることができる。
Ｂ（ｔ２）  ＝  （Ｖａ−Ｖｂ）×（ｔ２−ｔ１）        （式１）
この後、ＢＤディスク上のアドレス”ａ３”まではイメージデータが続くため、トラックバッファへの入力は０となり、出力レートである”−Ｖｂ”でトラックバッファ内のデータ量は減少していくことになる。これは読み出し位置”ａ３”まで、時刻でいう”ｔ３”までになる。
【００８４】
ここで大事なことは、時刻”ｔ３”より前にトラックバッファに蓄積されているデータ量が０になると、デコーダへ供給するＶＯＢのデータが無くなってしまい、ＶＯＢの再生がストップしてしまう可能性がある。しかしながら、時刻”ｔ３”でトラックバッファにデータが残っている場合には、ＶＯＢの再生がストップすることなく連続できることを意味している。
【００８５】
この条件は下式によって示すことができる。
Ｂ（ｔ２）  ≧  −Ｖｂ×（ｔ３−ｔ２）                （式２）
即ち、式２を満たすようにイメージデータの配置を決めればよい事になる。
【００８６】
（ナビゲーションデータ構造）
図１３から図１９を用いて、ＢＤ−ＲＯＭのナビゲーションデータ（ＢＤ管理情報）構造について説明をする。図１３は、ＶＯＢ管理情報ファイル（”ＹＹＹ．ＶＯＢＩ”）の内部構造を示した図である。
【００８７】
ＶＯＢ管理情報は、当該ＶＯＢのストリーム属性情報（Ａｔｔｒｉｂｕｔｅ）とタイムマップ（ＴＭＡＰ）を有している。ストリーム属性は、ビデオ属性（Ｖｉｄｅｏ）、オーディオ属性（Ａｕｄｉｏ＃０〜Ａｕｄｉｏ＃ｍ）個々に持つ構成となっている。特にオーディオストリームの場合は、ＶＯＢが複数本のオーディオストリームを同時に持つことができることから、オーディオストリーム数（Ｎｕｍｂｅｒ）によって、データフィールドの有無を示している。
【００８８】
下記はビデオ属性（Ｖｉｄｅｏ）の持つフィールドと夫々が持ち得る値である。
圧縮方式（Ｃｏｄｉｎｇ）：
ＭＰＥＧ１
ＭＰＥＧ２
ＭＰＥＧ４
解像度（Ｒｅｓｏｌｕｔｉｏｎ）：
１９２０ｘ１０８０
１２８０ｘ７２０
７２０ｘ４８０
７２０ｘ５６５
アスペクト比（Ａｓｐｅｃｔ）
４：３
１６：９
フレームレート（Ｆｒａｍｅｒａｔｅ）
６０
５９．９４
５０
３０
２９．９７
２５
２４
【００８９】
下記はオーディオ属性（Ａｕｄｉｏ）の持つフィールドと夫々が持ち得る値である。
圧縮方式（Ｃｏｄｉｎｇ）：
ＡＣ３
ＭＰＥＧ１
ＭＰＥＧ２
ＬＰＣＭ
チャンネル数（Ｃｈ）：
１〜８
言語属性（Ｌａｎｇｕａｇｅ）：
【００９０】
タイムマップ（ＴＭＡＰ）はＶＯＢＵ毎の情報を持つテーブルであって、当該ＶＯＢが有するＶＯＢＵ数（Ｎｕｍｂｅｒ）と各ＶＯＢＵ情報（ＶＯＢＵ＃１〜ＶＯＢＵ＃ｎ）を持つ。個々のＶＯＢＵ情報は、ＶＯＢＵの再生時間長（Ｄｕｒａｔｉｏｎ）とＶＯＢＵのデータサイズ（Ｓｉｚｅ）を夫々有している。
【００９１】
図１４はＶＯＢＵ情報の詳細を説明する図である。
広く知られているように、ＭＰＥＧストリームは時間的側面とデータサイズとしての側面との２つを有している。例えば、音声の圧縮規格であるＡＣ３は固定ビットレートでの圧縮を行っているため、時間とアドレスとの関係は１次式によって求めることができる。しかしながらＭＰＥＧビデオデータの場合は、個々のフレームは固定の表示時間、例えばＮＴＳＣの場合は１フレームは１／２９．９７秒の表示時間を持つが、個々のフレームの圧縮後のデータサイズは絵の特性や圧縮に使ったピクチャタイプ、いわゆるＩ／Ｐ／Ｂピクチャによってデータサイズは大きく変わってくる。従って、ＭＰＥＧビデオの場合は、時間とアドレスの関係は一般式の形で表現することは不可能である。
【００９２】
当然の事として、ＭＰＥＧビデオデータを多重化しているＭＰＥＧシステムストリーム、即ちＶＯＢも時間とデータとを一般式の形で表現することは不可能である。これに代わって、ＶＯＢ内での時間とアドレスとの関係を結びつけるのがタイムマップ（ＴＭＡＰ）である。図１４に示すように、各ＶＯＢＵ毎にＶＯＢＵ内のフレーム数と、ＶＯＢＵ内のパック数を夫々エントリーとして持つテーブルがタイムマップ（ＴＭＡＰ）である。
【００９３】
図１５を使って、タイムマップ（ＴＭＡＰ）の使い方を説明する。
図１５に示すように時刻情報が与えられた場合、先ずは当該時刻がどのＶＯＢＵに属するのかを検索する。これは、タイムマップのＶＯＢＵ毎のフレーム数を加算して行き、フレーム数の和が当該時刻を（フレーム数に換算して）超えるまたは一致するＶＯＢＵが当該ＶＯＢＵになる。次にタイムマップのＶＯＢＵ毎のサイズを当該ＶＯＢＵの直前のＶＯＢＵまで加算して行き、その値が与えられた時刻を含むフレームを再生するために読み出すべきパックの先頭アドレスになっている。
【００９４】
次に図１６を使って、プレイリスト情報（”ＸＸＸ．ＰＬ”）の内部構造を説明する。
プレイリスト情報は、セルリスト（ＣｅｌｌＬｉｓｔ）とイベントリスト（ＥｖｅｎｔＬｉｓｔ）から構成されている。
【００９５】
セルリスト（ＣｅｌｌＬｉｓｔ）は、プレイリスト内の再生セルシーケンスであり、本リストの記述順でセルが再生される事になる。セルリスト（ＣｅｌｌＬｉｓｔ）の中身は、セルの数（Ｎｕｍｂｅｒ）と各セル情報（Ｃｅｌｌ＃１〜Ｃｅｌｌ＃ｎ）である。
【００９６】
セル情報（Ｃｅｌｌ＃）は、ＶＯＢファイル名（ＶＯＢＮａｍｅ）、当該ＶＯＢ内での有効区間開始時刻（Ｉｎ）及び有効区間終了時刻（Ｏｕｔ）と、字幕テーブル（ＳｕｂｔｉｔｌｅＴａｂｌｅ）を持っている。有効区間開始時刻（Ｉｎ）及び有効区間終了時刻（Ｏｕｔ）は、夫々当該ＶＯＢ内でのフレーム番号で表現され、前述したタイムマップ（ＴＭＡＰ）を使うことによって再生に必要なＶＯＢデータのアドレスを得る事ができる。
【００９７】
字幕テーブル（ＳｕｂｔｉｔｌｅＴａｂｌｅ）は、当該ＶＯＢと同期再生される字幕情報を持つテーブルである。字幕は音声同様に複数の言語を持つことができ、字幕テーブル（ＳｕｂｔｉｔｌｅＴａｂｌｅ）最初の情報も言語数（Ｎｕｍｂｅｒ）とそれに続く個々の言語ごとのテーブル（Ｌａｎｇｕａｇｅ＃１〜Ｌａｎｇｕａｇｅ＃ｋ）から構成されている。
【００９８】
各言語のテーブル（Ｌａｎｇｕａｇｅ＃）は、言語情報（Ｌａｎｇｕａｇｅ）と、個々に表示される字幕の字幕情報数（Ｎｕｍｂｅｒ）と、個々に表示される字幕の字幕情報（Ｓｐｅｅｃｈ＃１〜Ｓｐｅｅｃｈ＃ｊ）から構成され、字幕情報（Ｓｐｅｅｃｈ＃）は対応するイメージデータファイル名（Ｎａｍｅ）、字幕表示開始時刻（Ｉｎ）及び字幕表示終了時刻（Ｏｕｔ）と、字幕の表示位置（Ｐｏｓｉｔｉｏｎ）から構成されている。
【００９９】
イベントリスト（ＥｖｅｎｔＬｉｓｔ）は、当該プレイリスト内であげられるイベントを定義したテーブルである。イベントリストは、イベント数（Ｎｕｍｂｅｒ）に続いて個々のイベント（Ｅｖｅｎｔ＃１〜Ｅｖｅｎｔ＃ｍ）から構成され、個々のイベント（Ｅｖｅｎｔ＃）は、イベントの種類（Ｔｙｐｅ）、イベントのＩＤ（ＩＤ）、イベント生成時刻（Ｔｉｍｅ）と有効期間（Ｄｕｒａｔｉｏｎ）から構成されている。
【０１００】
図１７は、個々のプレイリスト毎のイベントハンドラ（時間イベントと、メニュー選択用のユーザイベント）を持つイベントハンドラテーブル（”ＸＸＸ．ＰＲＯＧ”）である。
【０１０１】
イベントハンドラテーブルは、定義されているイベントハンドラ／プログラム数（Ｎｕｍｂｅｒ）と個々のイベントハンドラ／プログラム（Ｐｒｏｇｒａｍ＃１〜Ｐｒｏｇｒａｍ＃ｎ）を有している。各イベントハンドラ／プログラム（Ｐｒｏｇｒａｍ＃）内の記述は、イベントハンドラ開始の定義（＜ｅｖｅｎｔ＿ｈａｎｄｌｅｒ＞タグ）と前述したイベントのＩＤと対になるイベントハンドラのＩＤ（ＩＤ）を持ち、その後に当該プログラムもＦｕｎｃｔｉｏｎに続く括弧”｛”と”｝”の間に記述する。
【０１０２】
次に図１８を用いてＢＤディスク全体に関する情報（”ＢＤ．ＩＮＦＯ”）の内部構造について説明をする。
【０１０３】
ＢＤディスク全体情報は、タイトルリスト（ＴｉｔｌｅＬｉｓｔ）とグローバルイベント用のイベントテーブル（ＥｖｅｎｔＴａｂｌｅ）から構成されている。
【０１０４】
タイトルリスト（ＴｉｔｌｅＬｉｓｔ）は、ディスク内のタイトル数（Ｎｕｍｂｅｒ）と、これに続く各タイトル情報（Ｔｉｔｌｅ＃１〜Ｔｉｔｌｅ＃ｎ）から構成されている。個々のタイトル情報（Ｔｉｔｌｅ）は、タイトルに含まれるプレイリストのテーブル（ＰＬＴａｌｂｌｅ）とタイトル内のチャプタリスト（ＣｈａｐｔｅｒＬｉｓｔ）を含んでいる。プレイリストのテーブル（ＰＬＴａｂｌｅ）はタイトル内のプレイリストの数（Ｎｕｍｂｅｒ）と、プレイリスト名（Ｎａｍｅ）即ちプレイリストのファイル名を有している。
【０１０５】
チャプタリスト（ＣｈａｐｔｅｒＬｉｓｔ）は、当該タイトルに含まれるチャプタ数（Ｎｕｍｂｅｒ）と個々のチャプタ情報（Ｃｈａｐｔｅｒ＃１〜Ｃｈａｐｔｅｒ＃ｎ）から構成され、チャプタ情報（Ｃｈａｐｔｅｒ＃）は当該チャプタが含むセルのテーブル（ＣｅｌｌＴａｂｌｅ）を持ち、セルのテーブル（ＣｅｌｌＴａｂｌｅ）はセル数（Ｎｕｍｂｅｒ）と個々のセルのエントリ情報（ＣｅｌｌＥｎｔｒｙ＃１〜ＣｅｌｌＥｎｔｒｙ＃ｋ）から構成されている。セルのエントリ情報（ＣｅｌｌＥｎｔｒｙ＃）は当該セルを含むプレイリスト名と、プレイリスト内でのセル番号によって記述されている。
【０１０６】
イベントリスト（ＥｖｅｎｔＬｉｓｔ）は、グローバルイベントの数（Ｎｕｍｂｅｒ）と個々のグローバルイベントの情報を持っている。ここで注意すべきは、最初に定義されるグローバルイベントは、ファーストイベント（ＦｉｒｓｔＥｖｅｎｔ）と呼ばれ、ＢＤディスクがプレーヤに挿入された時、最初に呼ばれるイベントである。グローバルイベント用イベント情報はイベントタイプ（Ｔｙｐｅ）とイベントのＩＤ（ＩＤ）だけを持っている。
【０１０７】
図１９は、グローバルイベントハンドラのプログラムのテーブル（”ＢＤ．ＰＲＯＧ”）である。本テーブルは、図１７で説明したイベントハンドラテーブルと同一内容である。
【０１０８】
（イベント発生のメカニズム）
図２０から図２２を使ってイベント発生のメカニズムについて説明する。
【０１０９】
図２０はタイムイベントの例である。
前述したとおり、タイムイベントはプレイリスト情報（”ＸＸＸ．ＰＬ”）のイベントリスト（ＥｖｅｎｔＬｉｓｔ）で定義される。タイムイベントとして定義されているイベント、即ちイベントタイプ（Ｔｙｐｅ）が”ＴｉｍｅＥｖｅｎｔ”の場合、イベント生成時刻（”ｔ１”）になった時点で、ＩＤ”Ｅｘ１”を持つタイムイベントがシナリオプロセッサからプログラムプロセッサに対してあげられる。プログラムプロセッサは、イベントＩＤ”Ｅｘ１”を持つイベントハンドラを探し、対象のイベントハンドラを実行処理する。例えば、本実施例の場合では、２つのボタンイメージの描画を行うなどを行うことができる。
【０１１０】
図２１はメニュー操作を行うユーザーイベントの例である。
前述したとおり、メニュー操作を行うユーザイベントもプレイリスト情報（”ＸＸＸ．ＰＬ”）のイベントリスト（ＥｖｅｎｔＬｉｓｔ）で定義される。ユーザイベントとして定義されるイベント、即ちイベントタイプ（Ｔｙｐｅ）が”ＵｓｅｒＥｖｅｎｔ”の場合、イベント生成時刻（”ｔ１”）になった時点で、当該ユーザイベントがレディとなる。この時、イベント自身は未だ生成されてはいない。当該イベントは、有効規格情報（Ｄｕｒａｔｉｏｎ）で記される期間レディ状態にある。
【０１１１】
図２１に描くように、ユーザがリモコンキーの「上」「下」「左」「右」キーまたは「決定」キーを押した場合、先ずＵＯＰイベントがＵＯＰマネージャによって生成されプログラムプロセッサに上げられる。プログラムプロセッサは、シナリオプロセッサに対してＵＯＰイベントを流し、シナリオプロセッサはＵＯＰイベントを受け取った時刻に有効なユーザイベントが存在するかを検索し、対象となるユーザイベントがあった場合は、ユーザイベントを生成し、プログラムプロセッサに持ち上げる。プログラムプロセッサでは、イベントＩＤ”Ｅｖ１”を持つイベントハンドラを探し、対象のイベントハンドラを実行処理する。例えば、本実施例の場合では、プレイリスト＃２の再生を開始する。
【０１１２】
生成されるユーザイベントには、どのリモコンキーがユーザによって押されたかの情報は含まれていない。選択されたリモコンキーの情報は、ＵＯＰイベントによってプログラムプロセッサに伝えられ、仮想プレーヤが持つレジスタＳＰＲＭ（８）に記録保持される。イベントハンドラのプログラムは、このレジスタの値を調べ分岐処理を実行することが可能である。
【０１１３】
図２２はグローバルイベントの例である。
前述したとおり、グローバルイベントはＢＤディスク全体に関する情報（”ＢＤ．ＩＮＦＯ”）のイベントリスト（ＥｖｅｎｔＬｉｓｔ）で定義される。グローバルイベントとして定義されるイベント、即ちイベントタイプ（Ｔｙｐｅ）が”ＧｌｏｂａｌＥｖｅｎｔ”の場合、ユーザのリモコンキー操作があった場合にのみイベントが生成される。
【０１１４】
ユーザが”メニュー”を押した場合、先ずＵＯＰイベントがＵＯＰマネージャによって生成されプログラムプロセッサに上げられる。プログラムプロセッサは、シナリオプロセッサに対してＵＯＰイベントを流し、シナリオプロセッサは、該当するグローバルイベントを生成し、プログラムプロセッサに送る。プログラムプロセッサでは、イベントＩＤ”ｍｅｎｕ”を持つイベントハンドラを探し、対象のイベントハンドラを実行処理する。例えば、本実施例の場合ではプレイリスト＃３の再生を開始している。
【０１１５】
本実施例では、単に”メニュー”キーと呼んでいるが、ＤＶＤのように複数のメニューキーがあってもよい。各メニューキーに対応するＩＤを夫々定義することで対応することが可能である。
【０１１６】
（仮想プレーヤマシン）
図２３を用いてプログラムプロセッサの機能構成を説明する。
【０１１７】
プログラムプロセッサは、内部に仮想プレーヤマシンを持つ処理モジュールである。仮想プレーヤマシンはＢＤ−ＲＯＭとして定義された機能モデルであって、各ＢＤ−ＲＯＭプレーヤの実装には依存しないものである。即ち、どのＢＤ−ＲＯＭプレーヤにおいても同様の機能を実行できることを保証している。
【０１１８】
仮想プレーヤマシンは大きく２つの機能を持っている。プログラミング関数とプレーヤ変数（レジスタ）である。プログラミング関数は、Ｊａｖａ（登録商標）  Ｓｃｒｉｐｔをベースとして、以下に記す２つの機能をＢＤ−ＲＯＭ固有関数として定義している。
【０１１９】
リンク関数：現在の再生を停止し、指定するプレイリスト、セル、時刻からの再生を開始する
Ｌｉｎｋ（ＰＬ＃，Ｃｅｌｌ＃，ｔｉｍｅ）
ＰＬ＃  ：  プレイリスト名
Ｃｅｌｌ＃  ：  セル番号
ｔｉｍｅ  ：  セル内での再生開始時刻
ＰＮＧ描画関数：指定ＰＮＧデータをイメージプレーンに描画する
Ｄｒａｗ（Ｆｉｌｅ，Ｘ，Ｙ）
Ｆｉｌｅ  ：  ＰＮＧファイル名
Ｘ  ：  Ｘ座標位置
Ｙ  ：  Ｙ座標位置
イメージプレーンクリア関数：イメージプレーンの指定領域をクリアする
Ｃｌｅａｒ（Ｘ，Ｙ，Ｗ，Ｈ）
Ｘ  ：  Ｘ座標位置
Ｙ  ：  Ｙ座標位置
Ｗ  ：  Ｘ方向幅
Ｈ  ：  Ｙ方向幅    
【０１２０】
プレーヤ変数は、プレーヤの状態を示すシステムパラメータ（ＳＰＲＭ）と一般用途として使用可能なゼネラルパラメータ（ＧＰＲＭ）とがある。
【０１２１】
図２４はシステムパラメータ（ＳＰＲＭ）の一覧である。
ＳＰＲＭ（０）      ：  言語コード
ＳＰＲＭ（１）      ：  音声ストリーム番号
ＳＰＲＭ（２）      ：  字幕ストリーム番号
ＳＰＲＭ（３）      ：  アングル番号
ＳＰＲＭ（４）      ：  タイトル番号
ＳＰＲＭ（５）      ：  チャプタ番号
ＳＰＲＭ（６）      ：  プログラム番号
ＳＰＲＭ（７）      ：  セル番号
ＳＰＲＭ（８）      ：  選択キー情報
ＳＰＲＭ（９）      ：  ナビゲーションタイマー
ＳＰＲＭ（１０）    ：  再生時刻情報
ＳＰＲＭ（１１）    ：  カラオケ用ミキシングモード
ＳＰＲＭ（１２）    ：  パレンタル用国情報
ＳＰＲＭ（１３）    ：  パレンタルレベル
ＳＰＲＭ（１４）    ：  プレーヤ設定値（ビデオ）
ＳＰＲＭ（１５）    ：  プレーヤ設定値（オーディオ）
ＳＰＲＭ（１６）    ：  音声ストリーム用言語コード
ＳＰＲＭ（１７）    ：  音声ストリーム用言語コード（拡張）
ＳＰＲＭ（１８）    ：  字幕ストリーム用言語コード
ＳＰＲＭ（１９）    ：  字幕ストリーム用言語コード（拡張）
ＳＰＲＭ（２０）    ：  プレーヤリージョンコード
ＳＰＲＭ（２１）    ：  予備
ＳＰＲＭ（２２）    ：  予備
ＳＰＲＭ（２３）    ：  再生状態
ＳＰＲＭ（２４）    ：  予備
ＳＰＲＭ（２５）    ：  予備
ＳＰＲＭ（２６）    ：  予備
ＳＰＲＭ（２７）    ：  予備
ＳＰＲＭ（２８）    ：  予備
ＳＰＲＭ（２９）    ：  予備
ＳＰＲＭ（３０）    ：  予備
ＳＰＲＭ（３１）    ：  予備  
【０１２２】
なお、本実施例では、仮想プレーヤのプログラミング関数をＪａｖａ（登録商標）Ｓｃｒｉｐｔベースとしたが、Ｊａｖａ（登録商標）Ｓｃｒｉｐｔではなく、ＵＮＩＸ（登録商標）ＯＳなどで使われているＢ−Ｓｈｅｌｌや、Ｐｅｒｌ  Ｓｃｒｉｐｔなど他のプログラミング関数であっても構わなく、言い換えれば、本発明はＪａｖａ（登録商標）Ｓｃｒｉｐｔに限定されるものでは無い。
【０１２３】
（プログラムの例）
図２５及び図２６は、イベントハンドラでのプログラムの例である。
【０１２４】
図２５は、２つの選択ボタンを持ったメニューの例である。
セル（ＰｌａｙＬｉｓｔ＃１．Ｃｅｌｌ＃１）先頭でタイムイベントを使って図２５左側のプログラムが実行される。ここでは、最初にゼネラルパラメータの一つＧＰＲＭ（０）に”１”がセットされている。ＧＰＲＭ（０）は、当該プログラムの中で、選択されているボタンを識別するのに使っている。最初の状態では、左側に配置するボタン１が選択されている事を初期値として持たされている。
【０１２５】
次に、ＰＮＧの描画を描画関数であるＤｒａｗを使ってボタン１、ボタン２夫々について行っている。ボタン１は、座標（１０、２００）を起点（左端）としてＰＮＧイメージ”１ｂｌａｃｋ．ｐｎｇ”を描画している。ボタン２は、座標（３３０，２００）を起点（左端）としてＰＮＧイメージ”２ｗｈｉｔｅ．ｐｎｇ”を描画している。
【０１２６】
また、本セル最後ではタイムイベントを使って図２５右側のプログラムが実行される。ここでは、Ｌｉｎｋ関数を使って当該セルの先頭から再度再生するように指定している。
【０１２７】
図２６は、メニュー選択のユーザイベントのイベントハンドラの例である。
「左」キー、「右」キー、「決定」キー何れかのリモコンキーが押された場合夫々に対応するプログラムがイベントハンドラに書かれている。ユーザがリモコンキーを押した場合、図２１で説明したとおり、ユーザイベントが生成され、図２６のイベントハンドラが起動されることになる。本イベントハンドラでは、選択ボタンを識別しているＧＰＲＭ（０）の値と、選択されたリモコンキーを識別するＳＰＲＭ（８）を使って分岐処理を行っている。
【０１２８】
条件１）ボタン１が選択されている、かつ、選択キーが「右」キーの場合
ＧＰＲＭ（０）を２に再設定して、選択状態にあるボタンを右ボタン２に変更する。
ボタン１、ボタン２のイメージを夫々書き換える
条件２）選択キーが「決定（ＯＫ）」の場合で、ボタン１が選択されている場合、プレ
イリスト＃２の再生を開始する
条件３）選択キーが「決定（ＯＫ）」の場合で、ボタン２が選択されている場合、プレイリスト＃３の再生を開始する。
上記のようにして実行処理が行われる。
【０１２９】
（プレーヤ処理フロー）
次に図２７から図３０を用いてプレーヤでの処理フローを説明する。
【０１３０】
図２７は、ＡＶ再生までの基本処理フローである。
ＢＤディスクを挿入すると（Ｓ１０１）、ＢＤ−ＲＯＭプレーヤはＢＤ．ＩＮＦＯファイルの読み込みと解析（Ｓ１０２）、ＢＤ．ＰＲＯＧの読み込み（Ｓ１０３）を実行する。ＢＤ．ＩＮＦＯ及びＢＤ．ＰＲＯＧは共に管理情報記録メモリに一旦格納され、シナリオプロセッサによって解析される。
【０１３１】
続いて、シナリオプロセッサは、ＢＤ．ＩＮＦＯファイル内のファーストイベント（ＦｉｒｓｔＥｖｅｎｔ）情報に従い、最初のイベントを生成する（Ｓ１０４）。生成されたファーストイベントは、プログラムプロセッサで受け取られ、当該イベントに対応するイベントハンドラを実行処理する（Ｓ１０５）。
【０１３２】
ファーストイベントに対応するイベントハンドラには、最初に再生するべきプレイリスト情報が記録されていることが期待される。仮に、プレイリスト再生が指示されていない場合には、プレーヤは何も再生することなく、ユーザイベントを受け付けるのを待ち続けるだけになる。この場合、ユーザイベントを受け付けるのを待ち続けることになる（Ｓ２０１）。ＢＤ−ＲＯＭプレーヤはユーザからのリモコン操作を受け付けると、ＵＯＰマネージャはプログラムマネージャに対してＵＯＰイベントを立ち上げる（Ｓ２０２）。
【０１３３】
プログラムマネージャは、ＵＯＰイベントがメニューキーによるものであるかを判別し（Ｓ２０３）、メニューキーの場合は、シナリオプロセッサにＵＯＰイベントを流し、シナリオプロセッサがユーザイベントを生成する（Ｓ２０４）。プログラムプロセッサは生成されたユーザイベントに対応するイベントハンドラを実行処理する（Ｓ２０５）。
【０１３４】
図２８は、ＰＬ再生開始からＶＯＢ再生開始までの処理フローである。
前述したように、ファーストイベントハンドラまたはグローバルイベントハンドラによってプレイリスト再生が開始される（Ｓ３０１）。シナリオプロセッサは、再生対象のプレイリスト再生に必要な情報として、プレイリスト情報”ＸＸＸ．ＰＬ”の読み込みと解析（Ｓ３０２）、プレイリストに対応するプログラム情報”ＸＸＸ．ＰＲＯＧ”の読み込みを行う（Ｓ３０３）。続いてシナリオプロセッサは、プレイリストに登録されているセル情報に基づいてセルの再生を開始する（Ｓ３０４）。セル再生は、シナリオプロセッサからプレゼンテーションコントローラに対して要求が出される事を意味し、プレゼンテーションコントローラはＡＶ再生を開始する（Ｓ３０５）。
【０１３５】
ＡＶ再生の開始（Ｓ４０１）を開始すると、プレゼンテーションコントローラは再生するセルに対応するＶＯＢの情報ファイル（ＸＸＸ．ＶＯＢＩ）を読み込み及び解析をする（Ｓ４０２）。プレゼンテーションコントローラは、タイムマップを使って再生開始するＶＯＢＵとそのアドレスを特定し、ドライブコントローラに読み出しアドレスを指示し、ドライブコントローラは対象となるＶＯＢデータを読み出し（Ｓ４０３）、ＶＯＢデータがデコーダに送られ再生が開始される（Ｓ４０４）。ＶＯＢ再生は、当該ＶＯＢの再生区間が終了するまで続けられ（Ｓ４０５）、終了すると次のセル再生Ｓ３０４へ移行する。次にセルが無い場合は、再生が停止する（Ｓ４０６）。
【０１３６】
図２９は、ＡＶ再生開始後からのイベント処理フローである。
ＢＤ−ＲＯＭプレーヤはイベントドリブン型のプレーヤモデルである。プレイリストの再生を開始すると、タイムイベント系、ユーザイベント系、字幕表示系のイベント処理プロセスが夫々起動され、平行してイベント処理を実行するようになる。
【０１３７】
Ｓ５００系の処理は、タイムイベント系の処理フローである。
プレイリスト再生開始後（Ｓ５０１）、プレイリスト再生が終了しているかを確認するステップ（Ｓ５０２）を経て、シナリオプロセッサは、タイムイベント発生時刻になったかを確認する（Ｓ５０３）。タイムイベント発生時刻になっている場合には、シナリオプロセッサはタイムイベントを生成し（Ｓ５０４）、プログラムプロセッサがタイムイベントを受け取りイベントハンドラを実行処理する（Ｓ５０５）。
【０１３８】
ステップＳ５０３でタイムイベント発生時刻になっていない場合、または、ステップＳ５０４でイベントハンドラ実行処理後は再度ステップＳ５０２へ戻り、上述した処理を繰り返す。また、ステップＳ５０２でプレイリスト再生が終了したことが確認されると、タイムイベント系の処理は強制的に終了する。
【０１３９】
Ｓ６００系の処理は、ユーザイベント系の処理フローである。
プレイリスト再生開始後（Ｓ６０１）、プレイリスト再生終了確認ステップ（Ｓ６０２）を経て、ＵＯＰ受付確認ステップの処理に移る（Ｓ６０３）。ＵＯＰの受付があった場合、ＵＯＰマネージャはＵＯＰイベントを生成し（Ｓ６０４）、ＵＯＰイベントを受け取ったプログラムプロセッサはＵＯＰイベントがメニューコールであるかを確認し（Ｓ６０５）、メニューコールであった場合は、プログラムプロセッサはシナリオプロセッサにイベントを生成させ（Ｓ６０７）、プログラムプロセッサはイベントハンドラを実行処理する（Ｓ６０８）。
【０１４０】
ステップＳ６０５でＵＯＰイベントがメニューコールで無いと判断された場合、ＵＯＰイベントはカーソルキーまたは「決定」キーによるイベントである事を示している。この場合、現在時刻がユーザイベント有効期間内であるかをシナリオプロセッサが判断し（Ｓ６０６）、有効期間内である場合には、シナリオプロセッサがユーザイベントを生成し（Ｓ６０７）、プログラムプロセッサが対象のイベントハンドラを実行処理する（Ｓ６０８）。
【０１４１】
ステップＳ６０３でＵＯＰ受付が無い場合、ステップＳ６０６で現在時刻がユーザイベント有効期間に無い場合、または、ステップＳ６０８でイベントハンドラ実行処理後は再度ステップＳ６０２へ戻り、上述した処理を繰り返す。また、ステップＳ６０２でプレイリスト再生が終了したことが確認されると、ユーザイベント系の処理は強制的に終了する。
【０１４２】
図３０は字幕処理のフローである。
プレイリスト再生開始後（Ｓ７０１）、プレイリスト再生終了確認ステップ（Ｓ７０２）を経て、字幕描画開始時刻確認ステップに移る（Ｓ７０３）。字幕描画開始時刻の場合、シナリオプロセッサはプレゼンテーションコントローラに字幕描画を指示し、プレゼンテーションコントローラはイメージプロセッサに字幕描画を指示する（Ｓ７０４）。ステップＳ７０３で字幕描画開始時刻で無いと判断された場合、字幕表示終了時刻であるかを確認する（Ｓ７０５）。字幕表示終了時刻であると判断された場合は、プレゼンテーションコントローラがイメージプロセッサに字幕消去指示を行い、描画されている字幕をイメージプレーンから消去する（Ｓ７０６）。
【０１４３】
字幕描画ステップＳ７０４終了後、字幕消去ステップＳ７０６終了後、または、字幕表示終了時刻確認ステップＳ７０５で当該時刻でないことが判断された場合、ステップＳ７０２に戻り、上述した処理を繰り返す。また、ステップＳ７０２でプレイリスト再生が終了したことが確認されると、字幕表示系の処理は強制的に終了する。
【０１４４】
（実施例２）
次に本発明の第２の実施の形態について説明する。
【０１４５】
第２の実施の形態は、ＢＤ−ＲＯＭにおいてより豊かなインタラクティブ性を実現するため、ＸＭＬ・ＸＨＴＭＬベースの画面構成環境と、イベントおよびスクリプトを用いたプログラミング環境を導入し、さらにネットワーク接続機能を導入することに関する内容である。基本的には第１の実施例に基づく内容であり、拡張または異なる部分を中心に説明する。
【０１４６】
（ＸＨＴＭＬファイルを利用したコンテンツ制御）
図３１は、ＸＨＴＭＬおよびスクリプトを利用したシナリオ制御に関わるモジュール構成、制御の流れ、イベントなどの伝わり方を示している。
【０１４７】
ユーザーイベント処理部は、リモコン信号などを受信し、次のモジュールにイベントを割り振るモジュールである。再生制御に関わる、再生／停止／早送り／巻き戻し／スキップ／アングル変更／音声切替／字幕切替などのイベントはＡＶ再生制御部に送られる。ボタンフォーカスの移動（上下左右キー）や決定などのイベントは、ＸＨＴＭＬ処理部に送られる。タイトル切替に関わる、タイトル選択やメニュー呼び出しのイベントは、タイトル制御部に送られる。なお、Ｉｎｄｅｘ  ｔａｂｌｅとは、ディスク中のタイトルを列挙したファイルであり、図１８のＴｉｔｌｅ  Ｌｉｓｔ部分を切り出して１つにしたものである。
【０１４８】
タイトル制御部は、タイトル切替を要求されるとＩｎｄｅｘ  ｔａｂｌｅにしたがってタイトル切替を行うモジュールである。タイトルがＸＨＴＭＬで定義される場合、ＸＨＴＭＬ処理部にタイトルに関連付けられたＸＨＴＭＬファイルを読み込むように制御を行う。
【０１４９】
ＸＨＴＭＬ処理部はＸＨＴＭＬファイルを読み込み、スタイル定義情報などにしたがって、画面を構成し、イベントに応じて関連するスクリプトを実行するモジュールである。スクリプトを実行した結果、ＡＶの再生が必要であればＡＶ再生制御部に対して、再生開始などの制御を行い、タイトル切替が必要であれば、タイトル制御部に対して制御を行う。
【０１５０】
ＡＶ再生制御部は、イベントや指示に従ってＡＶストリームの再生を行い、ＡＶ再生制御部の状態が変化したときやＡＶストリームの再生位置が特定の位置に達した際にイベントを生成してＸＨＴＭＬ処理部に通知する。
【０１５１】
プレーヤの状態が変化したことを通知するイベントとは、ユーザーから再生指示があり、ユーザーイベント処理部が再生開始要求のイベントをＡＶ再生制御部に通知すると、ＡＶ再生制御部は再生を開始する。この時に、ＡＶ再生制御部が停止状態から再生状態に変化したことを通知するようなイベントである。
【０１５２】
また、再生位置を通知するイベントとは、ＡＶストリームの終端に達したときや、セルの境界に達したとき、あるいはマークと呼ばれるＡＶストリームの一時点を示すデータが存在する場合その地点に達したことを通知するイベントである。
【０１５３】
図３２はあるタイトルが選択されたときの動作の様子を示している。
Ｉｎｄｅｘ  ｔａｂｌｅで定義されるあるタイトルを選択した場合、タイトルに関連付けられたＸＨＴＭＬファイルが呼び出される。ＸＨＴＭＬファイルには、再生制御などを行うスクリプトなども記述しされている。
【０１５４】
図中の例では、スクリプトファイルを間接的に参照しているが、直接ＸＨＴＭＬファイル内に記述することも可能である。また、説明のため、ＸＨＴＭＬと表記しているが、ＸＭＬ形式にのっとっていれば独自のタグなどを利用した形式でもよい。
【０１５５】
図中のＸＨＴＭＬファイル内に記述されている”ｏｎＬｏａｄ”属性において、ファイ
ルが読み込まれたときに実行されるスクリプトを規定している。この例では、ＸＨＴＭＬファイルが読み込まれたときに、”ｐｌａｙＴｉｔｌｅ１”という関数が呼び出され、ス
クリプト自体はスクリプトファイル内に記述されている。
【０１５６】
また、＜ｅｖｅｎｔ＞タグを用いることにより、ユーザーイベント処理部やＡＶ再生制御部から通知されたイベントに対応してスクリプトを実行する仕組みも提供する。この例では、”ＥｎｄＯｆＳｔｒｅａｍ”イベントが発生した際、”ｊｕｍｐＴｉｔｌｅ２”と
いう関数を呼び出す例である。なお、”ＥｎｄＯｆＳｔｒｅａｍ”イベントとは、たとえ
ばＡＶ再生がファイルの終端に達した場合にＡＶ再生制御部が生成するイベントである。
【０１５７】
図３３は先ほどの例に、画面生成を加えた例である。たとえば、先ほどと同様にＩｎｄｅｘ  ｔａｂｌｅからＸＨＴＭＬが呼び出され、そのＸＨＴＭＬはメニュー画面などを生成するための情報が書かれていた場合である。画面構成のスタイルなどはＣＳＳなどのスタイルシートを利用してもよい。
【０１５８】
この例では、画面上に２つのボタンを配置している。それぞれのボタンが押されると対応スクリプトが実行される。あるボタンを選択すると、”ｏｎＣｌｉｃｋ”属性に定義さ
れているスクリプトが実行される。ＴｉｔｌｅＡと書かれたＰＮＧイメージファイルと関連付けられている左側のボタンを選択すると、”ｐｌａｙＡ”関数が実行され、タイトル
１にジャンプする。同様に、ＴｉｔｌｅＢボタンを選択すると、あるＡＶストリームが再生された後に、タイトル２にジャンプする。
【０１５９】
これまで説明した仕組みを用いることにより、ＸＨＴＭＬファイルを用いて、メニュー画面を表示し、何らかのボタンを選択を選択するとコンテンツの再生を開始するような仕組みを提供することが可能となる。
【０１６０】
（ネットワークからのコンテンツダウンロード）
さらに、プレーヤに外部通信装置との通信処理部を設け、またネットワーク接続に関するスクリプトＡＰＩを定義することにより、インターネット接続やダウンロードサービスといったアプリケーションの実行が可能となる。
【０１６１】
図３４は、ネットワーク接続を利用したアプリケーションの一例である。
図３４の左側は、ディスク内に格納されたＸＨＴＭＬ形式で記述されたアプリケーションである。画面上には「新作紹介へ」と書かれたボタンイメージが一つ配置されている。このボタンを選択の上、リモコンにより決定ボタンが押されると、”ｏｎＣｌｉｃｋ”属
性に記されているように”ｊｕｍｐＮｅｔＡｐｐｌｉ２”関数が実行される。この関数内
では、”ｌｏｃａｔｉｏｎ．ｒｅｐｌａｃｅ（）”が実行されている。ここで、この”ｌ
ｏｃａｔｉｏｎ．ｒｅｐｌａｃｅ（）”関数はＵＲＬを引数にとり、その引数のＵＲＬに
あるドキュメントを提示するＡＰＩである。
【０１６２】
ボタンが押されると、プレーヤは通信処理部を介して、ＵＲＬに示された外部通信装置（ここでは、インターネット上にあるアプリケーションサーバ）内にあるＸＨＴＭＬドキュメントの取得を要求する。その取得されるＸＨＴＭＬドキュメントの内容を図３４の右側に示す。この例では、アプリケーションサーバ内にある新作タイトル情報をユーザに提示している。ここでユーザに表示するコンテンツはアプリケーションサーバからダウンロードされる内容であるので、ディスク購入時から相当の時間がたっていたとしても、コンテンツ制作者がアプリケーションサーバのコンテンツをアップロードすることにより常に最新の情報をユーザに提示することができる。
【０１６３】
また、ディスク内のアプリケーションの画面を表示する前にアプリケーションサーバにアクセスし、新着情報がサーバにあった場合のみ、画面上にボタンを表示させるようなＸＨＴＭＬアプリケーションを記述することも可能である。
【０１６４】
（アプリケーション言語コードのサーバへの通知）
ＢＤ−ＲＯＭプレーヤは、図２４に示したとおりプレーヤの状態を示すシステムパラメータ（ＳＰＲＭ）を持っており、言語コードや音声ストリーム用言語コード、字幕ストリーム用言語コードなどを保持している。さらには、新しく、メニュー表示用やアプリケーション表示用の言語コードをシステムパラメータに追加してもよい。なお、本実施例における言語コードに関するシステムパラメータの中には、ＩＳＯ−６３９−２で規定されているアルファベット３文字の言語コードが格納されている。
【０１６５】
ＢＤ−ＲＯＭは１つの映像ストリームに対して多言語での再生が可能であり、コンテンツ制作者は、タイトルの再生時における音声、字幕、アプリケーションの各提示言語に関して、前述のプレーヤのシステムパラメータの値を参照してそれを利用することができるし、また、別途言語選択用のメニューを追加してユーザに都度選択させるように設計することもできる。このように多言語再生に対応する場合には、各言語に対応した字幕やアプリケーションなどのデータがそれぞれあらかじめディスクの中に格納されており、再生時の言語設定に応じたデータを用いてそれぞれ再生する。
【０１６６】
さて、前述のようにネットワーク接続に対応したプレーヤであれば、アプリケーションサーバ側にも各言語に対応したアプリケーションファイルをそれぞれ用意することにより、ダウンロードアプリケーションも多言語対応することが可能である。そのための方法として、本発明では、プレーヤに設定されているアプリケーション用言語コードをサーバに通知する手段を提供する。
【０１６７】
図３５を用いて具体例を示す。
今、プレーヤＡとプレーヤＢの２台のＢＤ−ＲＯＭプレーヤがある。プレーヤＡのシステムパラメータには、アプリケーション用言語コードとして、日本語であることを示す「ｊｐｎ」の３文字が格納されており、プレーヤＢのシステムパラメータには、アプリケーション用言語コードとして、英語であることを示す「ｅｎｇ」の３文字が格納されている。この２台に対して、あるコンテンツが格納されたディスクをそれぞれ挿入し、再生を行う。このディスク内には、映像データ再生中にインターネット上のアプリケーションサーバ「ｅｘａｍｐｌｅ．ｃｏｍ」に対して新着情報があるかどうかを確認し、新着情報があれば「ｃｈｅｃｋ！」と書かれたボタンを画面上に表示するアプリケーションが格納されている。また、この「ｃｈｅｃｋ！」ボタンを押すと、新着情報を表示するアプリケーションをサーバに取得しにいき、データが読み込まれる。
【０１６８】
さて、アプリケーションサーバに確認した結果、新着情報があったのでボタンが表示される。この「ｃｈｅｃｋ！」ボタンが押されると、アプリケーションサーバにある新着情報が記述されたＸＨＴＭＬアプリケーションを取得しに行く。取得すべきＸＨＴＭＬアプリケーションファイルのＵＲＩはディスク内に格納されたアプリケーションファイルに記述されており、「ｈｔｔｐ：／／ｅｘａｍｐｌｅ．ｃｏｍ／ｎｅｗ．ｈｔｍｌ」である。なお、取得方法は、本実施例ではＨＴＴＰのＧＥＴメソッドを用いる。
【０１６９】
このとき、プレーヤはシステムパラメータの中からアプリケーション用言語コード設定を確認し、提示すべきアプリケーション用言語を決定する。プレーヤＡならば、「ｊｐｎ」が格納されているため日本語である。プレーヤは、通信処理部において、ＨＴＴＰ  ＧＥＴメソッドにより、ディスク内のＸＨＴＭＬアプリケーションに記述されたＵＲＩにＸＨＴＭＬアプリケーションファイルを要求するが、このとき、ＩＳＯ−６３９−２で規定されたアルファベット３文字のアプリケーション用言語コード「ｊｐｎ」をＩＳＯ−６３９で規定されたアルファベット２文字の言語コード「ｊａ」に変換し、これをＨＴＴＰヘッダ「Ａｃｃｅｐｔ−Ｌａｎｇｕａｇｅ」に付加する。すなわち、ＨＴＴＰヘッダに「Ａｃｃｅｐｔ−Ｌａｎｇｕａｇｅ：  ｊａ」を付加する。
【０１７０】
さて、コンテンツ制作者が用意するアプリケーションサーバは、各プレーヤからのアクセス要求を処理する。サーバでは、ＨＴＴＰヘッダを解析することにより、ＸＨＴＭＬアプリケーションファイルを要求してきたプレーヤのアプリケーション用言語コードが日本語であることが分かる。これにより、アプリケーションサーバは、日本語用に制作された当該コンテンツを送信する。
【０１７１】
同様にプレーヤＢならば、プレーヤに格納されているアプリケーション用言語コード「ｅｎｇ」を「ｅｎ」に変換し、ＨＴＴＰヘッダに「Ａｃｃｅｐｔ−Ｌａｎｇｕａｇｅ：  ｅｎ」を付加しファイルを要求し、サーバ側では英語用に制作された当該コンテンツを送信する。
【０１７２】
サーバ側において、知されてきた言語コードによりページを切り替える手段としては、例えばＣＧＩやＪＳＰ、ＡＳＰのように言語コードに応じて動的にページを生成する方式や、あるいは、当該言語のファイルがあるＵＲＩへプレーヤにリダイレクトさせる方法などがある。
【０１７３】
もし、通知されてきた言語に対応したコンテンツがない場合には、デフォルトの表示ページをあらかじめ決めておいて、そのページを送信するようにすればよい。
【０１７４】
このように、プレーヤが外部機器に対してファイルデータを要求する際に、自動的にプレーヤの言語設定を通知する仕組みを導入することにより、コンテンツ制作者は、タイトルリリース後であっても各国語対応のページを随時追加することが可能となる。
【０１７５】
なお、今回、ＨＴＴＰのＡｃｃｅｐｔ−Ｌａｎｇｕａｇｅヘッダを用いてプレーヤの言語コードを通知しているが、通知するための手段としてはこの限りではない。
【０１７６】
（多国語メニュー対応）
ディスク内のタイトルを多言語対応にするには、前述の通り、コンテンツ制作者はあらかじめ各言語に対応したデータをディスク内に格納しておく必要がある。
【０１７７】
例えば、あるディスク内のタイトルの再生に関して、このコンテンツの制作者は、あらかじめ英語用と日本語用のメニューアプリケーションを作成しておき、それぞれがディスク内に格納されている。プレーヤは、このタイトルを再生する場合において、英語か日本語かのいずれかの言語によるメニューを表示することが可能である。どちらの言語で表示するかの決定は、前述のようにプレーヤのシステムパラメータのうち言語コードに関する部分を参照するか、言語選択用のメニューを別途追加し、それにより決定する。しかしその場合、前者では、プレーヤに設定された言語設定の言語で表示されるメニューがディスク内に用意されていない場合、例えばプレーヤに設定されたアプリケーション用言語コードが韓国語だった場合、それに応じたメニューを表示することができない。また後者では、ユーザによる選択の手間が発生し、また、前者の場合と同様に、ユーザの希望する言語がない場合は選択することができない。
【０１７８】
しかし、プレーヤがネットワーク接続に対応していれば、ディスク内に格納されていない言語に関するデータについても、アプリケーションサーバ側に当該言語に対応したデータを用意すれば、これをダウンロードすることにより対応が可能となる。
【０１７９】
本発明のプレーヤによれば、各国語に対応したメニュー等のアプリケーションを、ユーザに意識させることなく自動的に表示することが可能となる。
【０１８０】
図３６にその一例を示す。
本発明では、プレーヤにアプリケーションデータ言語確認部を設ける。メニュー呼び出しアプリケーションが呼ばれると、アプリケーションデータ言語確認部はメニュー画面を表示する前にプレーヤのシステムパラメータを参照しアプリケーション用言語コードを調べ、設定されているアプリケーション用言語コードに対応したメニューがディスク内に存在するかどうかを調べる。調べるための方法の一つの例として、例えば各ファイルがどの言語に対応しているかを示すファイルリスト作成し、それを参照すればよい。
【０１８１】
図３７に、ファイルリストの一例を示す。
この例では、アプリケーションＩＤ＝ａｐｐｌｉ１のアプリケーションで使用されるファイルのリストがＸＭＬ形式で記述されている。リストは、対応している言語ごとに分類されていて、各言語に対応したファイルのロケーションパスが示されている。また、対応していない言語が指定され、かつネットワークに接続されている場合は、アプリケーションサーバにある当該データファイルへのＵＲＬが示されている。なお、これはファイルリストの一つの例にすぎず、ＸＭＬ形式である必要はない。プレーヤが解釈できれば、例えばバイナリ形式であっても構わない。
【０１８２】
再び図３６に戻る。プレーヤに設定されているアプリケーション用言語コードが「英語」または「日本語」であるならば、対応するデータがディスク内に存在するため、その言語に対応したメニューファイルを自動的に表示する。一方、それ以外の言語、例えば「韓国語」や「ドイツ語」などがプレーヤに設定されていた場合は、プレーヤの通信処理部に対してプレーヤが外部ネットワークに接続されているかどうかを確認し、接続されていた場合にはディスク内のアプリケーションにより指定されたアプリケーションサーバに、当該メニュー用アプリケーションの取得を要求する。このとき、ＨＴＴＰのＡｃｃｅｐｔ−Ｌａｎｇｕａｇｅヘッダにプレーヤのアプリケーション用言語コード設定を付加し送信する。アプリケーションサーバは、ＨＴＴＰヘッダを解析し、該当する言語用のメニューアプリケーションファイルをプレーヤに送信する。プレーヤは受信したアプリケーションファイルを用いてメニュー画面表示する。
【０１８３】
これにより、ユーザがアプリケーション実行時に言語選択をさせなくても、ユーザに意識させることなく自動的にユーザが所望する言語によるメニューなどのアプリケーションを表示させることができる。
【０１８４】
（各国語対応ファイルのプリロード）
各アプリケーションがＡＶストリームの再生とともに実行されている場合、ＡＶストリームの再生中にディスク上のデータへシークを行うと、ＡＶストリームの再生が一時的に中断されてしまう可能性がある。このような事態を避けるためには、ＡＶの再生が開始されるとＡＶ以外のデータを読み込みに行かないモデルが望ましい。そのための方法として、ＡＶ再生前に関連するアプリケーションデータをバッファ上にプリロードしておけばよい。
【０１８５】
例えば、アプリケーションのライフサイクルがタイトルごとに規定されており、タイトル終了とともにアプリケーションも終了するような構造であるとする。この場合、前述の図３７に示したようなファイルリストを持っているならば、タイトルに関連したファイルをプレーヤに設定されている言語に関するもののみプリロードしておけばよい。
【０１８６】
以上、プレーヤに設定されたアプリケーション用言語コード設定をサーバに通知する実施例について述べてきた。なお本実施例では、アプリケーションデータの記述言語としてＸＨＴＭＬを用いたが、これに限られるものではない。例えば、独自形式のＸＭＬデータであっても構わないし、バイナリデータでも構わない。その場合、アプリケーションサーバから送られるコンテンツも、そのデータ形式に従っていれば問題ない。
【０１８７】
また、本実施例では、通信プロトコルとしてＨＴＴＰを用いているが、これに限られるものではなく、アプリケーションの通信に適切なプロトコルを用いてよい。
【産業上の利用可能性】
【０１８８】
本発明を利用することにより、アプリケーション用のダウンロードコンテンツをユーザの所望の言語で表示可能となるため、特に映像コンテンツの再生装置を製造する民生機器産業において利用される可能性を持つ。
【図面の簡単な説明】
【０１８９】
【図１】ＤＶＤの構成図
【図２】ハイライトの構成図
【図３】ＤＶＤでの多重化の例を示す図
【図４】ＢＤ−ＲＯＭのデータ階層図
【図５】ＢＤ−ＲＯＭ上の論理空間の構成図
【図６】ＢＤ−ＲＯＭプレーヤの概要ブロック図
【図７】ＢＤ−ＲＯＭプレーヤの構成ブロック図
【図８】ＢＤ−ＲＯＭのアプリケーション空間の説明図
【図９】ＭＰＥＧストリーム（ＶＯＢ）の構成図
【図１０】パックの構成図
【図１１】ＡＶストリームとプレーヤ構成の関係を説明する図
【図１２】トラックバッファへのＡＶデータ連続供給モデル図
【図１３】ＶＯＢ情報ファイル構成図
【図１４】タイムマップの説明図
【図１５】タイムマップを使ったアドレス情報取得方法説明図
【図１６】プレイリストファイルの構成図
【図１７】プレイリストに対応するプログラムファイルの構成図
【図１８】ＢＤディスク全体管理情報ファイルの構成図
【図１９】グローバルイベントハンドラを記録するファイルの構成図
【図２０】タイムイベントの例を説明する図
【図２１】ユーザイベントの例を説明する図
【図２２】グローバルイベントハンドラの例を説明する図
【図２３】仮想マシンの構成図
【図２４】プレーヤ変数テーブルの図
【図２５】イベントハンドラ（タイムイベント）の例を示す図
【図２６】イベントハンドラ（ユーザイベント）の例を示す図
【図２７】プレーヤの基本処理のフローチャート
【図２８】プレイリスト再生処理のフローチャート
【図２９】イベント処理のフローチャート
【図３０】字幕処理のフローチャート
【図３１】モジュール構成や制御の流れを説明する図
【図３２】Ｉｎｄｅｘ  ＴａｂｌｅとＸＨＴＭＬファイルの関係を説明する図
【図３３】ボタンが表示されるＸＨＴＭＬファイルの例を示す図
【図３４】ネットワーク接続を利用したアプリケーションの例を示す図
【図３５】各言語に対応したダウンロードアプリケーションの例を示す図
【図３６】各言語に対応したメニューアプリケーション表示の例を示す図
【図３７】ファイルリストの例を示す図
【符号の説明】
【０１９０】
２０１  ＢＤディスク
２０２  光ピックアップ
２０３  プログラム記録メモリ
２０４  管理情報記録メモリ
２０５  ＡＶ記録メモリ
２０６  プログラム処理部
２０７  管理情報処理部
２０８  プレゼンテーション処理部
２０９  イメージプレーン
２１０  ビデオプレーン
２１１  合成処理部
３０１  プログラム記録メモリ
３０２  プログラムプロセッサ
３０３  ＵＯＰマネージャ
３０４  管理情報記録メモリ
３０５  シナリオプロセッサ
３０６  プレゼンテーションコントローラ
３０７  クロック
３０８  イメージメモリ
３０９  トラックバッファ
３１０  デマルチプレクサ
３１１  イメージプロセッサ
３１２  ビデオプロセッサ
３１３  サウンドプロセッサ
３１４  イメージプレーン
３１５  ビデオプレーン
３１６  合成処理部
３１７  ドライブコントローラ
Ｓ１０１  ディスク挿入ステップ
Ｓ１０２  ＢＤ．ＩＮＦＯ読み込みステップ
Ｓ１０３  ＢＤ．ＰＲＯＧ読み込みステップ
Ｓ１０４  ファーストイベント生成ステップ
Ｓ１０５  イベントハンドラ実行ステップ
Ｓ２０１  ＵＯＰ受付ステップ
Ｓ２０２  ＵＯＰイベント生成ステップ
Ｓ２０３  メニューコール判定ステップ
Ｓ２０４  イベント生成ステップ
Ｓ２０５  イベントハンドラ実行ステップ
Ｓ３０１  プレイリスト再生開始ステップ
Ｓ３０２  プレイリスト情報（ＸＸＸ．ＰＬ）読み込みステップ
Ｓ３０３  プレイリストプログラム（ＸＸＸ．ＰＲＯＧ）読み込みステップ
Ｓ３０４  セル再生開始ステップ
Ｓ３０５  ＡＶ再生開始ステップ
Ｓ４０１  ＡＶ再生開始ステップ
Ｓ４０２  ＶＯＢ情報（ＹＹＹ．ＶＯＢＩ）読み込みステップ
Ｓ４０３  ＶＯＢ（ＹＹＹ．ＶＯＢ）読み込みステップ
Ｓ４０４  ＶＯＢ再生開始ステップ
Ｓ４０５  ＶＯＢ再生終了ステップ
Ｓ４０６  次セル存在判定ステップ
Ｓ５０１  プレイリスト再生開始ステップ
Ｓ５０２  プレイリスト再生終了判定ステップ
Ｓ５０３  タイムイベント時刻判定ステップ
Ｓ５０４  イベント生成ステップ
Ｓ５０５  イベントハンドラ実行ステップ
Ｓ６０１  プレイリスト再生開始ステップ
Ｓ６０２  プレイリスト再生終了判定ステップ
Ｓ６０３  ＵＯＰ受付判定ステップ
Ｓ６０４  ＵＯＰイベント生成ステップ
Ｓ６０５  メニューコール判定ステップ
Ｓ６０６  ユーザーイベント有効期間判定ステップ
Ｓ６０７  イベント生成ステップ
Ｓ６０８  イベントハンドラ実行ステップ
Ｓ７０１  プレイリスト再生開始ステップ
Ｓ７０２  プレイリスト再生終了判定ステップ
Ｓ７０３  字幕描画開始判定ステップ
Ｓ７０４  字幕描画ステップ
Ｓ７０５  字幕表示終了判定ステップ
Ｓ７０６  字幕消去ステップ
【図１】
2006244655.tif 000003
【図２】
2006244655.tif 000004
【図３】
2006244655.tif 000005
【図４】
2006244655.tif 000006
【図５】
2006244655.tif 000007
【図６】
2006244655.tif 000008
【図７】
2006244655.tif 000009
【図８】
2006244655.tif 000010
【図９】
2006244655.tif 000011
【図１０】
2006244655.tif 000012
【図１１】
2006244655.tif 000013
【図１２】
2006244655.tif 000014
【図１３】
2006244655.tif 000015
【図１４】
2006244655.tif 000016
【図１５】
2006244655.tif 000017
【図１６】
2006244655.tif 000018
【図１７】
2006244655.tif 000019
【図１８】
2006244655.tif 000020
【図１９】
2006244655.tif 000021
【図２０】
2006244655.tif 000022
【図２１】
2006244655.tif 000023
【図２２】
2006244655.tif 000024
【図２３】
2006244655.tif 000025
【図２４】
2006244655.tif 000026
【図２５】
2006244655.tif 000027
【図２６】
2006244655.tif 000028
【図２７】
2006244655.tif 000029
【図２８】
2006244655.tif 000030
【図２９】
2006244655.tif 000031
【図３０】
2006244655.tif 000032
【図３１】
2006244655.tif 000033
【図３２】
2006244655.tif 000034
【図３３】
2006244655.tif 000035
【図３４】
2006244655.tif 000036
【図３５】
2006244655.tif 000037
【図３６】
2006244655.tif 000038
【図３７】
2006244655.tif 000039